(57)【要約】【課題】  本発明は、ＲＦＩＤが脱落しないように保持でき、比較的安価に製造することができるＲＦＩＤ付き医療用容器を提供する。【解決手段】  端面２１にＲＦＩＤ３が添着された医療用容器２と、裏面に接着剤５２を有する熱収縮性フィルム５と、を備え、熱収縮性フィルム５が医療用容器２の周囲に巻き付けられており、熱収縮性フィルム５の端部５ａが、熱収縮によって医療用容器２の端面側に折れ曲がり且つＲＦＩＤ３の少なくとも周縁部に被さっているＲＦＩＤ付き医療用容器。【選択図】      図１
2008005963.tif 000002
【特許請求の範囲】
【請求項１】
端面にＲＦＩＤが添着された医療用容器と、裏面に接着剤を有する熱収縮性フィルムと、を備え、熱収縮性フィルムが医療用容器の周囲に巻き付けられており、熱収縮性フィルムの端部が、熱収縮によって医療用容器の端面側に折れ曲がり且つＲＦＩＤの少なくとも周縁部に被さっていることを特徴とするＲＦＩＤ付き医療用容器。
【請求項２】
前記医療用容器が、医薬品の収納される筒状の胴部と該胴部に続く底面とを有し、前記医療用容器の底面に前記ＲＦＩＤが添着され、前記熱収縮性フィルムの主延伸方向が医療用容器の周方向になるように、熱収縮性フィルムが医療用容器の胴部周囲に巻き付けられている請求項１記載のＲＦＩＤ付き医療用容器。
【請求項３】
前記熱収縮性フィルムの表面側に、紫外線硬化型インキによる印刷層又はトップコート層の少なくとも何れか一方が施されている請求項１または２に記載のＲＦＩＤ付き医療用容器。
【発明の詳細な説明】
【技術分野】
【０００１】
本発明は、アンプルなどの医療用容器にＲＦＩＤが具備されたＲＦＩＤ付き医療用容器に関する。
【背景技術】
【０００２】
近年のＩＴ技術の著しい進歩によって、超小型のＩＣチップを備えるＲＦＩＤ（Radio Frequency Identification）が、バーコードなどに代わって商品の製造、品質、流通などの管理に利用されるようになってきている。このＲＦＩＤに商品情報（品名、ロット番号、製造日、品質保持期限等）や入出荷情報（出荷日、入庫日等）などを適宜記録することにより、商品の製造元から流通業者を経て消費者に亘るまでの流通履歴を含めた商品管理を、個々の商品毎に行うことが可能となる。
かかるＲＦＩＤを医療用容器に具備すれば、医薬品管理を正確且つ簡易に行うことが可能となる。例えば、製造元から流通業者を経て消費者（医療従事者、患者など）に至るまでの各流通拠点で、ＲＦＩＤに、入出荷情報（出荷日、入庫日等）や検品情報などの所望の情報を追加又は更新記録していくことにより、医薬品について、極めて正確な流通履歴を残すことができる。
【０００３】
ＲＦＩＤを具備させる手段として、例えば、特許文献１には、筒状のラベル基材面に、導電性インキからなるアンテナパターンが印刷され、このアンテナパターンに電気的に導通するようにＩＣタグが貼着されているＩＣタグ付きボトル用ラベルを、容器胴部に装着することが開示されている。
【０００４】
しかしながら、容器胴部にＲＦＩＤを装着すると、容器の胴部形状に沿ってＲＦＩＤが湾曲して変形する。このようにＲＦＩＤが変形すると、リーダ装置などの無線通信装置との通信が悪くなり、ＲＦＩＤの情報の読み取り感度などが低下する。
また、製造ライン上や保管運搬時などに於いて、容器胴部が互いに擦れたり衝突することによってＲＦＩＤが損傷する虞もある。
【０００５】
そこで、本発明者らは、ＲＦＩＤに粘着剤を塗工してタックラベル形態とし、これを医療用容器の底面に貼り付けることを検討した。しかしながら、アンプルなどの医療用容器は、その底面が比較的小さいものが多く、又、その底面が平坦状でなく凹んでいるものもあるため、流通保管時に、ＲＦＩＤが底面から脱落する虞がある。
【０００６】
上記の点に鑑みて、熱収縮性フィルムを筒状に成形した熱収縮性筒状フィルムを用い、該フィルムによってＲＦＩＤを保持することも検討した。
具体的には、医療用容器の底面にタックラベル形態のＲＦＩＤを貼付した後、熱収縮性筒状フィルムの上端部が容器の底面から突出するように位置合わせしつつ、容器胴部に熱収縮性筒状フィルムを外嵌し、これを熱収縮させる。得られたＲＦＩＤ付き医療用容器は、筒状フィルムの下端部が容器の胴部に密着するとともに、該筒状フィルムの上端部が、容器の底面側へ折れ曲がり、ＲＦＩＤの周縁部に被さってこれを保持する。かかるＲＦＩＤ付き医療用容器は、筒状フィルムの保持により、ＲＦＩＤの脱落を防止できるものである。
【０００７】
しかしながら、ＲＦＩＤの保持手段として、予め筒状に成形された熱収縮性筒状フィルムを用いた場合、該筒状フィルムを容器に外嵌する際、位置決め機構を有する装着装置（シュリンク装置）を用いなければならない。
具体的には、上記筒状フィルムは、容器の胴部に外嵌するため、容器の胴部よりも大径に形成されている。従って、筒状フィルムを加熱するまでの間、外嵌した筒状フィルムを容器の所定位置に止まらせる必要がある。このため、熱収縮性筒状フィルムを装着する際には、筒状フィルムの外嵌位置を保持する位置決め機構を有する装着装置を用いなければならない。
この位置決め機構を有する装着装置は、一般に、設備が複雑且つ大型となる。このため、ＲＦＩＤ付き医療用容器の機械的製造にあたって、生産コストがアップするという問題点がある。特に、ＲＦＩＤ医療用容器を小ロット多品種生産する場合、容器の種類や形状に合わせて位置決め機構を調整又は変更しなければならないため、更にコスト高となる。
【０００８】
【特許文献１】特開２００４−２０７７１号公報
【発明の開示】
【発明が解決しようとする課題】
【０００９】
そこで、本発明は、ＲＦＩＤが脱落しないように保持でき、且つ比較的安価に製造できるＲＦＩＤ付き医療用容器を提供する。
【課題を解決するための手段】
【００１０】
上記課題を解決するため、本発明は、端面にＲＦＩＤが添着された医療用容器と、裏面に接着剤を有する熱収縮性フィルムと、を備え、熱収縮性フィルムが医療用容器の周囲に巻き付けられており、熱収縮性フィルムの端部が、熱収縮によって医療用容器の端面側に折れ曲がり且つＲＦＩＤの少なくとも周縁部に被さっているＲＦＩＤ付き医療用容器を提供する。
上記医療用容器としては、アンプル、バイアル瓶またはプレフィルドシリンジが例示できる。
【００１１】
上記ＲＦＩＤ付き医療用容器は、ＲＦＩＤが医療用容器の端面に添着され、熱収縮性フィルムの端部が熱収縮によって医療用容器の端面側に折れ曲がり且つＲＦＩＤの少なくとも周縁部に被さっているので、熱収縮性フィルムによってＲＦＩＤが保持される。従って、ＲＦＩＤが容器端面から脱落しにくいＲＦＩＤ付き医療用容器を提供できる。
また、熱収縮性フィルムの端部が、ＲＦＩＤの周縁部に被さっているので、医療用容器の端面を下にして自立させた際、ＲＦＩＤの表面が、コンベアなどの被載置面に直に接触し難くなる。従って、流通保管時に於いて、ＲＦＩＤが損傷することを防止できる。
さらに、熱収縮性フィルムは裏面に接着剤を有するので、該熱収縮性フィルムを医療用容器の周囲に巻き付けた際、熱収縮性フィルムは、接着剤を介して巻付け状態が維持される。従って、位置決め機構を有しない装着装置であっても、熱収縮性フィルムを所定位置に熱収縮装着できる。
【００１２】
本発明の好ましい態様では、上記医療用容器が、医薬品の収納される筒状の胴部と胴部に続く底面とを有し、医療用容器の底面に上記ＲＦＩＤが添着され、上記熱収縮性フィルムの主延伸方向が医療用容器の周方向になるように、熱収縮性フィルムが医療用容器の胴部周囲に巻き付けられている上記ＲＦＩＤ付き医療用容器を提供する。
【００１３】
上記ＲＦＩＤ付き医療用容器は、熱収縮性フィルムが接着剤を介して医療用容器の胴部に巻き付けられ、該熱収縮性フィルムの端部が、熱収縮によって医療用容器の底面側に折れ曲がり且つＲＦＩＤの少なくとも周縁部に被さっている。
上記熱収縮性フィルムの端部を熱収縮させて折り曲げる際、熱収縮性フィルムの全体を加熱してもよいが、全体加熱では容器内の医薬品に熱が加わる虞があるので、主として端部のみを局所的に加熱することが好ましい。
すなわち、本発明では、接着剤が設けられた熱収縮性フィルムを医療用容器の胴部に巻き付けるので、必ずしもフィルム全体を加熱する必要はなく、端部のみを局所的に加熱して上記ＲＦＩＤ付き医療用容器を得ることができる。該ＲＦＩＤ付き医療用容器は、容器の底面にＲＦＩＤが添着されているため、熱収縮性フィルムの端部を熱収縮させるために端部を局所的に加熱すると、その熱は、容器の底面に僅かに加わるに過ぎない。このため、上記ＲＦＩＤ付き医療用容器は、収納した医薬品の品質低下を招くことなく製造することができる。
【００１４】
本発明の好ましい態様では、上記熱収縮性フィルムの表面側に、紫外線硬化型インキによる印刷層又はトップコート層の少なくとも何れか一方が施されている上記ＲＦＩＤ付き医療用容器を提供する。
かかる熱収縮性フィルムは、その端部を熱収縮させて折り曲げた際、端部の先端が容器側へと湾曲し易くなるため、熱収縮性フィルムと容器との密着性を高めることができる。
【００１５】
上記ＲＦＩＤ付き医療用容器は、そのまま或いは組立箱などの包材によって包装した状態で流通に供される。包材によって包装する場合、ＲＦＩＤ付き医療用容器は１個または複数個を纏めて包装することができる。ＲＦＩＤ付き医療用容器を複数個包装する場合には、上記ＲＦＩＤ付き医療用容器は、各容器に具備されたＲＦＩＤを一面側に向けた状態で、包材によって包装されていることが好ましい。
【発明の効果】
【００１６】
本発明のＲＦＩＤ付き医療用容器は、端面に添着されたＲＦＩＤの脱落を防止することができる。また、本発明のＲＦＩＤ付き医療用容器は、位置決め機構を有しない装着装置によって製造できるので、比較的安価に製造でき、小ロット生産にも対応できる。
さらに、本発明のＲＦＩＤ付き医療用容器は、その好ましい態様により、収納した医薬品の品質低下を招くことなく製造できる。
【発明を実施するための最良の形態】
【００１７】
以下、本発明について、図面を参照しつつ具体的に説明する。
図１に於いて、１は、医療用容器２と、該医療用容器２の端面に添着されたＲＦＩＤ３と、このＲＦＩＤ３を保持すべく、医療用容器２に装着された接着剤付きの熱収縮性フィルム５と、を有するＲＦＩＤ付き医療用容器を示す。
このＲＦＩＤ付き医療用容器１は、医療用容器２の周囲に筒状に巻き付けられた熱収縮性フィルム５の端部５ａが、熱収縮によって医療用容器２の端面側に折れ曲がり且つＲＦＩＤ３の少なくとも周縁部３ａに被さってこれを保持している。
【００１８】
医療用容器２は、特に限定されず、公知のものを使用できる。図１に例示の医療用容器２は、医薬品が封入されたアンプルである。アンプルとは、その一部を破断して医薬品を取り出すことができる医療用容器である。
該アンプル２は、例えば、平面視略円状の底面２１と、該底面２１に続く円筒状の胴部２２と、胴部２２に続く小径状の封緘部２３と、胴部２２と封緘部２３の間に形成された縊れ部２４と、を有する容体である。該アンプル２の底面２１は、胴部２２の軸長方向に対してほぼ直交する面部であり、該底面２１を下にしてアンプル２を自立させることができる。
尚、アンプル２は、公知ものを使用でき、その材質は、例えば、ガラス製、合成樹脂製などのものを用いることができる。
【００１９】
上記医療用容器２（アンプル）の底面２１（端面）には、ＲＦＩＤ３が添着されている。このＲＦＩＤ３は、例えば、支持基材の一面（モジュール部が設けられていない面）に粘着剤（又は接着剤）が設けられ、該粘着剤等を介して接着した状態で、医療用容器２の底面２１に添着されている。もっとも、該ＲＦＩＤ３は、熱収縮性フィルム５によって保持されることから、粘着剤等を介在させずに非接着状態で、単に医療用容器２の底面２１に添えておくだけでもよい。
【００２０】
ＲＦＩＤ３は、ＩＣチップ及びアンテナ部からなるモジュール部を少なくとも有し、無線通信装置（後述するように、読込み型、書込み型、又は読書き型の何れでもよい）によって非接触でＩＣチップの電気的情報を読み込む及び／又はＩＣチップに書き込むことができる無線電子部品であり、本発明では公知のものを用いることができる。
尚、このＲＦＩＤ３とは、一般的に、ＲＦＩＤタグ、ＲＦＩＤインレット、ＩＣタグ、無線ＩＣタグ、非接触ＩＣ、非接触データキャリアなどと表現されているものも含まれる。
ＲＦＩＤ３は、一般に支持基材３３上に上記モジュール部が設けられて実用に供される。具体的には、ＲＦＩＤ３は、例えば、図２に示すように、支持基材３３の表面に、ＩＣチップ３１及びアンテナ部３２からなるモジュール部が形成され、その上に保護層３４が積層されているものが例示できる。もっとも、保護層４を有しないＲＦＩＤ３を用いることもできる。
支持基材３３及び保護層３４は、公知の合成樹脂シート、樹脂射出成型品などを用いることができる。
【００２１】
上記ＲＦＩＤ３の平面形状（支持基材３３を含めた形状）は特に限定されないが、医療用容器２の底面２１よりも外方へ出ないように、該底面２１内に収まるような形状が好ましい。なぜなら、底面２１よりも大きいと、熱収縮性フィルム５を装着した際に、ＲＦＩＤ３の一部が容器胴部２２側へ折れ曲がり、場合によっては、ＲＦＩＤ３の機能を損ねる虞があるからである。具体的には、ＲＦＩＤ３の形状としては、例えば、医療用容器２の底面２１とほぼ同形同大のもの、或いは該底面２１よりも面積の小さいものを用いることが好ましく、特に、医療用容器２の底面２１とほぼ同形同大のものが好ましい。なぜなら、熱収縮性フィルム５の端部５ａを折り曲げた際に、該端部５ａがＲＦＩＤ３の周縁部３ａに確実に且つ十分な範囲で被さるからである。
ＲＦＩＤ３の厚みは、特に限定されないが、通常、１００μｍ〜２ｍｍ程度のものが用いられる。
【００２２】
熱収縮性フィルム５は、矩形状の熱収縮性の基材５１と、該基材５１の裏面に設けられた接着剤５２と、を有し、必要に応じて、意匠印刷（図示せず）や金属蒸着などが基材５１に施されていてもよい。
印刷層は、基材５１の表面側に施すことが好ましく、さらに、印刷インキとして紫外線硬化型インキを用いることが好ましい。なお、基材５１の最表面に、紫外線硬化型のトップコート層（クリアニス）を施してもよい。
上記のように、基材５１の表面側に印刷層及び／又はトップコート層を設けることにより、熱収縮性フィルム５の先端を容器側に湾曲させて、該先端に於いてフィルム５と容器２との密着性を高めることができる。
該熱収縮性の基材５１としては、特に限定されず、例えば、ポリスチレンなどのスチレン系樹脂、ポリエチレンテレフタレートなどのポリエステル系樹脂、ポリプロピレン、環状オレフィンなどのオレフィン系樹脂、ポリカーボネート、塩化ビニル系樹脂などの熱可塑性樹脂から選ばれる１種単独、又は２種以上の混合物などを含むフィルムを用いることができる。また、基材５１としては、熱収縮性を有する２種以上のフィルムが積層された積層フィルムでもよい。フィルムは公知の製法で製膜し延伸処理することにより熱収縮性を付与できる。延伸処理は、通常、７０〜１１０℃程度の温度で、長手方向（ＭＤ方向）に２．０〜８．０倍、好ましくは３．０〜７．０倍程度延伸することにより行われる。さらに、幅方向（ＴＤ方向）にも、例えば１．５倍以下の低倍率で延伸処理を行ってもよい。得られたフィルムは、一軸延伸フィルム又は主延伸方向と直交する方向に若干延伸された二軸延伸フィルムとなる。フィルムの厚みは、概ね２０〜６０μｍ程度のものが好ましい。
尚、上記熱収縮性フィルム５は、基材５１の主たる延伸方向（ＭＤ方向）が医療用容器２の周方向となるようにして医療用容器２に巻き付けられる。
【００２３】
上記基材５１の熱収縮率としては、ＲＦＩＤ３に密着可能な程度に熱収縮可能なものであれば特に限定されないが、通常、長手方向（ＭＤ方向）に於ける熱収縮率（９０℃温水中に１０秒間浸漬）が約３０％以上、好ましくは約４０％以上のものが例示される。また、基材５１の幅方向に於ける熱収縮率（９０℃温水中に１０秒間浸漬）は、約−３〜１５％程度のものが例示される。
但し、熱収縮率（％）＝［｛（長手方向（又は幅方向）の元の長さ）−（長手方向（又は幅方向）の浸漬後の長さ）｝／（長手方向（又は幅方向）の元の長さ）］×１００。
【００２４】
上記接着剤５２は、熱収縮性フィルム５を医療用容器２に接着できる程度の接着力を有するものであれば特に限定されない。尚、この接着剤５２は、一般に粘着剤と呼ばれているもの（手の力で剥離可能なもの、又は剥離後に再貼付可能な粘着力を有するもの）を含む意味である。該接着剤としては、例えば、感熱性接着剤、感圧型粘着剤などを用いることができる。
接着剤５２は、熱収縮性の基材５１の裏面に積層され、離型紙上に仮添付される。得られた接着剤付きの熱収縮性フィルム５は、例えばタックラベラーに装填され、離型紙を引き剥がしつつ容器胴部２２に巻き付けられる。
感熱性接着剤を用いた場合には、離型紙が不要となるので、上記接着剤５２として感熱性接着剤を用いることが好ましい。該感熱性接着剤は、室温では接着性を示さず且つ加熱することによって接着性を発現しうる接着剤である。このような感熱性接着剤としては、例えば、ホットメルト型接着剤、パートコート型感熱接着剤、ディレードタック型感熱接着剤などを適宜用いることができる。
【００２５】
ホットメルト型接着剤は、常温で接着性を示さず、加熱することによって接着可能となるものであり、加熱溶融することによって塗工可能な接着剤である。
パートコート型感熱接着剤は、室温で接着性を示さず、加熱によって接着性を示すものであって、溶液状で塗工されるホットメルト接着剤である。パートコート型感熱接着剤は、例えば、エチレン−酢酸ビニル共重合体などの熱接着性樹脂と粘着付与剤などを有機溶剤などに溶解又は分散させた溶液を、グラビアコーティングなどの印刷によって塗工可能であり、塗工後乾燥して使用するものである。
ディレードタック型感熱接着剤は、室温で接着性を示さず、加熱することによって活性化して接着性を示し且つ冷却後長時間に亘ってそれが持続するものであり、グラビアコーティングなどの印刷によって塗工可能な接着剤である。
【００２６】
上記接着剤５２は、熱収縮性の基材５１の裏面全体にベタ状に設けられる。もっとも、接着剤５２は、基材５１の両側端部５ｂ，５ｃ（容器２に巻き付ける際の接着開始側端部及び接着完了側端部）に少なくとも設けられてもよい。該熱収縮性フィルム５の両側端部５ｂ，５ｃに於いて接着可能に構成する手段としては、（Ａ）基材５１の両側端部５ｂ，５ｃにのみ上下帯状に接着剤５２を塗工する、（Ｂ）基材５１の裏面全体に接着剤５２を設け、且つその接着剤５２の露出面のうち基材５１の両側端部５ｂ，５ｃを除く中央領域にマスキング処理（例えば、紫外線硬化型インキなどのマスキング剤を塗工する）を行う、などの手法が例示される。
【００２７】
かかる熱収縮性フィルム５は、その端部５ａを医療用容器２の底面２１から外方に突出させて胴部周りに巻き付けられ、この突出端部５ａを熱収縮させてＲＦＩＤ３の表面周縁部３ａに密着されている。従って、ＲＦＩＤ３の表面周縁部３ａには、折れ曲がった熱収縮性フィルム５の端部５ａが被さって接している。
【００２８】
上記ＲＦＩＤ付き医療用容器１は、例えば、下記の手順で製造できる。
医療用容器２の底面２１に、ＲＦＩＤ３を添着する。この際、ＲＦＩＤ３の一面（例えば、支持基材３３のモジュール部が設けられていない面側）に接着剤（又は粘着剤）を設け、該接着剤（又は粘着剤）を介して、ＲＦＩＤ３を医療用容器２の底面２１に貼付することが好ましい。
次に、図３（ａ）に示すように、熱収縮性フィルム５の端部５ａが容器２の底面２１から外方へ突出するように位置させ、熱収縮性フィルム５の一側端部５ｂの裏面を医療用容器２の胴部２２の軸長方向に沿って貼り付ける。
接着剤５２として、裏面に上記感熱性接着剤が塗布されている熱収縮性フィルム５を使用する場合には、巻き付ける直前に、該感熱性接着剤を加熱して接着可能な状態にする。また、予め接着剤５２が塗布されていない熱収縮性フィルムを使用することも可能であり、この場合、巻き付ける直前に、該熱収縮性フィルム５の裏面全体（又は所定位置）に接着剤５２を塗布すればよい。
【００２９】
そして、この熱収縮性フィルム５を医療用容器２の胴部２２に巻き回した後、図３（ｂ）に示すように、熱収縮性フィルム５の他側端部５ｃの裏面を一側端部５ｂの表面に接着する。以上により、熱収縮性フィルム５が、容器胴部２２に筒状に巻き付けられ、該筒状の端部５ａが、医療用容器２の底面２１から外方へ突出した状態となる。
【００３０】
そして、この外方へ突出した熱収縮性フィルム５の端部５ａを加熱することにより、この端部５ａが熱収縮して内側へ折れ曲がり、容器底面２１に添着されたＲＦＩＤ３の周縁部３ａに密着する。
加熱の際には、主として熱収縮性フィルム５の突出端部５ａに熱が加わるように、該端部５ａのみを局所的に加熱することが好ましい。なぜなら、容器２全体を加熱すると、容器２内の医薬品にまで熱が加わることがあるが、医薬品の種類によっては熱で品質低下を招く場合があるからである。なお、本発明では、接着剤５２を具備する熱収縮性フィルム５を医療用容器２の胴部２２に巻き付けるので、該熱収縮性フィルム５の容器胴部対応領域は熱収縮しなくてもフィルム装着に支障を来さず、上記局所的な加熱を行うことができるのである。従って、本発明の熱収縮性フィルム５によるＲＦＩＤ３の保持構造は、医療用容器２に特に適している。
加熱方式は、例えば１００〜２５０℃の熱風、スチームなどの公知の方法で行うことができるが、局所的に加熱できることから温風を用いることが好ましい。
また、基材５１の表面側に印刷層及び／又はトップコート層が施されている熱収縮性フィルム５を用いた場合には、端部５ａを加熱した際に、端部５ａが容器底面２１側へ折れ曲がると共に、該端部５ａの先端が容器底面２１側へ湾曲する。従って、熱収縮性フィルム５の先端が容器底面２１に密着するので、熱収縮性フィルム５の先端と容器底面２１の間に異物が挟まったり、或いは、熱収縮性フィルム５の先端が引掛かることを防止できる。
【００３１】
上記ＲＦＩＤ付き医療用容器１は、ＲＦＩＤ３が医療用容器２の底面２１に添着され、熱収縮性フィルム５の端部５ａが熱収縮によって医療用容器２の底面２１側に折れ曲がり且つＲＦＩＤ３の少なくとも表面周縁部３ａを保持しているので、ＲＦＩＤ３が容器底面２１から脱落することを防止できる。
また、熱収縮性フィルム５の端部５ａが、ＲＦＩＤ３の表面周縁部３ａに被さっているので、該端部５ａは、ＲＦＩＤ３の保護部としての機能も有する。つまり、底面２１を下にしてＲＦＩＤ付き医療用容器１を自立させた際、ＲＦＩＤ３に被さった熱収縮性フィルム５の端部５ａが、被載置面に接するため、ＲＦＩＤ３の表面が被載置面に直に接触し難くなる。従って、流通保管時に於いて、ＲＦＩＤ３が損傷することを防止できる。
さらに、熱収縮性フィルム５は裏面に接着剤５２を有するので、該熱収縮性フィルム５を医療用容器２の周囲に巻き付けた際、熱収縮性フィルム５は、接着剤５２を介して巻付け状態が維持される。従って、位置決め機構を有しない装着装置であっても、熱収縮性フィルム５を所定位置に熱収縮装着することも可能となる。
【００３２】
上記ＲＦＩＤ付き医療用容器１は、１個を組立箱などの包材に個包装して市場に提供することもできるが、通常、複数本を包材にて包装した包装体の形態で提供される。
図４は、その包装体１０の一例を示す。
この包装体１０は、包材１１と、包材１１の内部に収納された複数のＲＦＩＤ付き医療用容器１と、を備え、各ＲＦＩＤ付き医療用容器１は、そのＲＦＩＤ３の添着された端面（底面）が包材１１の一面側に向けた状態で並べられている。
包材１１は、特に限定されず、例えば、厚紙、段ボール、硬質プラスチックシートなどの比較的硬いシートを組み立てた組立箱を用いることができる。また、包材１１は、非透明なもの又は透明なものの何れでもよい。
包材１１によって包装されるＲＦＩＤ付き医療用容器１の個数は、複数個（２個以上）であれば特に限定されない。また、各ＲＦＩＤ付き医療用容器１の並べ方も、各ＲＦＩＤ３が包材１１の一面側に向いていれば特に限定されず、例えば、上下に重ねた多段状に並べることもできる。
なお、１２は、該包材１１に具備された波形緩衝シート（ロンドレーション）を示す（図４（ａ）では図示せず）。
【００３３】
次に、上記包装体１０の製造方法及び包装体１０のＲＦＩＤ通信方法について説明する。
医薬品を医療用容器２に充填すると共に、該医薬品に関する情報（品名、医薬品の個別的な識別番号、製造日、製造場所、品質保持期限などの所望の情報）を記録したＲＦＩＤ３を準備する。このＲＦＩＤ３を用いて、上記手順に従いＲＦＩＤ付き医療用容器１を製造する。さらに、このＲＦＩＤ付き医療用容器１の複数個を、包材１１に詰め込み、上記包装体１０を得る。
尚、ＲＦＩＤ３への医薬品情報の記録は、容器２に添着する前に行わず、包装体１０の製造後に各ＲＦＩＤ３へ一括して又は個々に行うこともできる。
【００３４】
この包装体１０は、搬送ラインなどで搬送され、倉庫に保管、或いは製造元から出荷され、流通に供される。そして、搬送ラインなどの所定箇所に於いて、情報を書き込み可能な書込み型又は読書き型の無線通信装置を用いて、包装体１０の状態で個々の医療用容器１のＲＦＩＤ３との通信が行われる。
例えば、この搬送途中に於いて、コンベアの間に無線通信装置を配置し、該コンベアで搬送される包装体１０の一面側から無線通信装置を作用させることにより、ＲＦＩＤ３に記録された情報をそれぞれ読み取る及び／又はＲＦＩＤ３に情報をそれぞれ書き込むことができる。
また、無線通信装置を、包装体１０の搬送途中に配置してＲＦＩＤ３と通信する態様に限られず、所望の場所で、ＲＦＩＤ３と通信することもできる。
【００３５】
ここで、無線通信装置は、ＲＦＩＤ３と無線（非接触）によってアクセスできる装置であって、ＲＦＩＤ３の情報を読み込む読込み型、無線でＲＦＩＤ３に情報を記録する書込み型、又は該読み込みと書き込みの双方を行える読書き型、の何れかの型を用いることができる。
また、無線通信装置は、包装体１０に包装された個々のＲＦＩＤ３にそれぞれアクセスするものでも良いし、或いは、複数個を纏めて一括してアクセスする方式のものでもよい。
上記包装体１０は、複数のＲＦＩＤ付き医療用容器１のＲＦＩＤ３が包材１１の一面側に並べられているので、例えば、１台の無線通信装置によって、ＲＦＩＤ３との通信を行うことができる。
【００３６】
次に、本発明の変形例を示す。ただし、上記各実施形態と異なる構成及び作用効果について主として説明し、上記実施形態と同様の構成及び作用効果についてはその説明を省略し、用語及び図番を援用することがある。
【００３７】
上記実施形態では、熱収縮性フィルム５は、一側端部５ｂが他側端部５ｃに重なるように巻き付けられているが、図５に示すように、熱収縮性フィルム５の一側端部５ｂと他側端部５ｃが重ならないように巻き付けてもよい。もっとも、この場合、一側端部５ｂと他側端部５ｃの間の距離が余りに開き過ぎていると、これに対応して熱収縮性フィルム５の端部５ａが、ＲＦＩＤ３の周縁部３ａに被さる周方向長さが短くなるため、熱収縮性フィルム５は、医療用容器２の胴部周りの半分を越える程度まで巻き付けられていることが好ましい。
【００３８】
次に、図６に示す変形例に係るＲＦＩＤ付き医療用容器１は、熱収縮性フィルム５の一部分を切り取り除去することができるように、熱収縮性フィルム５に切断線６が設けられているものである。切断線６は、熱収縮性フィルム５の他側端部５ｃのうち、熱収縮性フィルム５の端部５ａ（ＲＦＩＤ３の周縁部３ａに折れ曲がった端部）を除く範囲に形成されている。
切断線６としては、ミシン目、ハーフカット線などが挙げられる。また、熱収縮性フィルム５の裏面に設けられる接着剤５２としては、剥離可能で且つ再添付可能な粘着剤を用いることが好ましい。
この切断線６で区画された区画領域７には、例えば、医薬品情報（例えば、医薬品名、製造ロットなど）が文字情報として表された人的読取表示、及び／又は、該医薬品情報をコード化した機械的読取表示（例えば、バーコードやＲＳＳ（Reduced Space Symbology）コードなどの１次元コード、ＱＲコードやデータマトリックスなどの２次元コード、１次元或いは２次元コードを組み合わせたコンポジットコードなど）が印刷されている（該表示は、何れも不図示）。尚、７ａは、区画領域７の縁部から延設された摘み片を示す。
本変形例に係るＲＦＩＤ付き医療用容器１は、医薬品の使用時などに、切断線６を利用して区画領域７を切り取り、これを注射器やカルテなどの所望の部分に貼り付けることができる。このように医薬品情報が表示された区画領域７を、注射器などに貼り付けることができるので、転記の手間を省き且つ転記ミスを防止できる。
【００３９】
また、図６に示すＲＦＩＤ付き医療用容器１に於いては、熱収縮性フィルム５の一側端部５ｂの表面に他側端部５ｃが重ね合わされて巻き付けられているが、この一側端部５ｂの表面であって区画領域７に対応する一側端部５ｂの表面に、区画領域７に印刷された表示と同じ表示が印刷されていてもよい。この変形例に係るＲＦＩＤ付き医療用容器１も、上記と同様に、切断線６を利用して区画領域７を切り取り、これを注射器などに貼り付けることができるが、区画領域７を切り取っても、その下に同じ表示が印刷されているので、切り取り後のＲＦＩＤ付き医療用容器１にも上記表示を残すことができる。
【００４０】
図７に示す変形例に係るＲＦＩＤ付き医療用容器１は、熱収縮性フィルム５の一部分に窓部８が開口されているものである。かかる窓部８を形成することにより、容器２内の医薬品の状態を外部から視認できる。本変形例は、熱収縮性フィルム５の両側端部５ｂ，５ｃが重なるように巻き付けられ、その熱収縮性フィルム５が非透明な場合に有効である（意匠印刷がベタ状に施されているものなど）。
【００４１】
また、図８に示す変形例に係るＲＦＩＤ付き医療用容器１は、熱収縮性フィルム５の一側端部５ｂの表面に他側端部５ｃが重ね合わされて巻き付けられており、他側端部５ｃの重ね合わせ領域の一部に、上記切断線６が形成されている。この切断線６で区画された区画領域７には、上記人的読取表示及び／又は機械的読取表示が印刷されている（該表示は、何れも不図示）。また、熱収縮性フィルム５の接着剤としては、剥離可能で且つ再添付可能な粘着剤を用いることが好ましい。
他側端部５ｃが重ねられた一側端部５ａであって、切断線６で区画された区画領域７に対応する一側端部５ａには、窓部８が形成されている。
かかるＲＦＩＤ付き医療用容器１は、区画領域７を切り取った後、窓部８を通じて容器内の医薬品の状態を外部から視認できる。
【００４２】
次に、アンプル以外の小型の医薬品容器に本発明を適用したもの、例えば、バイアル瓶やプレフィルドシリンジに本発明を適用した例を示す。
図９は、小型の医療用容器２として、バイアル瓶２’に適用した例である。バイアル瓶２’は、医薬品が封入された医療用容器である。該バイアル瓶２’は、例えば、平面視略円状の底面２１’と、この底面に続く円筒状の胴部２２’と、この胴部２２’から次第に細くなる肩部２３’と、この肩部２３’の上端部に開口された開口部２４’と、この開口部２４’を封緘するゴム栓などの蓋部２５’と、を有する容体である。該バイアル瓶２’の底面２１’は、胴部２２’の軸長方向に対してほぼ直交する面部であり、該底面２１’を下にしてバイアル瓶２’を自立させることができる。
このバイアル瓶２’の底面２１’に、上記実施形態と同様に、ＲＦＩＤ３が添着され、且つ該ＲＦＩＤ３は、熱収縮性フィルム５の端部５ａによって保持されている。
ＲＦＩＤ３の平面形状は、特に限定されないが、バイアル瓶２’の底面２１’とほぼ同形同大のもの又は底面２１’よりも小さく且つ凹み部分よりも大きい形状が好ましい。なぜなら、ＲＦＩＤ３が底面２１’よりも大きいと、熱収縮性フィルム５の装着時にＲＦＩＤ３が折れ曲がるからである。一方、バイアル瓶２’の底面２１’は、通常、その中央部が上方側に凹んでいるものが多いため、ＲＦＩＤ３が底面２１’よりも余りに小さいと、ＲＦＩＤ３が容器底面２１’の凹み部分に嵌り込み、折り曲げられた熱収縮性フィルム５の端部５ａがＲＦＩＤ３の周縁部３ａを保持できなくなるからである。従って、図示したように、ＲＦＩＤ３は、底面２１’の平坦部に接するように添着することが好ましい。
【００４３】
図１０は、小型の医療用容器２としてプレフィルドシリンジ２”に適用した例である。プレフィルドシリンジ２”は、予め薬剤が封入された注射容器である。該シリンジ２”は、端部に注射針装着部２３”が形成された円筒状の胴部２２”を有するシリンジ本体２４”と、注射針装着部２３”に取り付けられた栓体２５”と、シリンジ本体２４”の後方開口部に挿入され且つ外端部に円盤状の押圧部２６”が設けられたピストンロッド部２７”と、を有する容体である。ピストンロッド部２７”の押圧部２６”の端面２１”は、シリンジ本体２４”の胴部２２”の軸長方向に対してほぼ直交する面部である。この押圧部２６”の端面２１”に、ＲＦＩＤ３が添着されている。さらに、シリンジ２”の一部を構成する押圧部２６”の周囲に熱収縮性フィルム５が巻付けられ、熱収縮性フィルム５の端部５ａを熱収縮させて折り曲げることによって、ＲＦＩＤ３の表面周縁部３ａが保持されている。
【００４４】
上記バイアル瓶２’のＲＦＩＤ付き医療用容器１及びプレフィルドシリンジ２”のＲＦＩＤ付き医療用容器１の何れも、ＲＦＩＤ３を包材１１の一面側に向けた状態で、包材１１に包装して包装体１０を構成することができる。
【図面の簡単な説明】
【００４５】
【図１】（ａ）は、本発明のＲＦＩＤ付き医療用容器の一実施形態を示す正面図、（ｂ）は、同（ａ）のＡ−Ａ線縦方向断面図。
【図２】（ａ）は、ＲＦＩＤの平面図、（ｂ）は、同Ｂ−Ｂ線断面図。
【図３】医療用容器に熱収縮性フィルムを巻き付ける工程を示し、（ａ）は、巻き付け開始時を、（ｂ）は、巻き付け完了時を示す正面図。
【図４】（ａ）は、包装体の一実施形態を示す横方向断面図、（ｂ）は、同Ｃ−Ｃ線断面図。但し、ＲＦＩＤ付き医療用容器は、断面で示していない。
【図５】ＲＦＩＤ付き医療用容器の変形例を示す正面図。
【図６】（ａ）は、ＲＦＩＤ付き医療用容器の変形例を示す正面図、（ｂ）は、同医療用容器の熱収縮性フィルムを展開した状態を示す展開正面図。但し、切断線は、一点鎖線で示す（図８も同様）。
【図７】（ａ）は、ＲＦＩＤ付き医療用容器の変形例を示す正面図、（ｂ）は、同医療用容器の熱収縮性フィルムを展開した状態を示す展開正面図。
【図８】（ａ）は、ＲＦＩＤ付き医療用容器の変形例を示す正面図、（ｂ）は、同医療用容器の熱収縮性フィルムを展開した状態を示す展開正面図。
【図９】ＲＦＩＤ付き医療用容器の変形例を示す縦方向断面図。
【図１０】ＲＦＩＤ付き医療用容器の変形例を示す縦方向断面図。
【符号の説明】
【００４６】
１…ＲＦＩＤ付き医療用容器、２…医療用容器、２１，２１’，２１”…容器の底面（端面）、２２，２２’，２２”…容器の胴部、３…ＲＦＩＤ、３ａ…ＲＦＩＤの周縁部、５…熱収縮性フィルム、５ａ…熱収縮性フィルムの端部、５１…熱収縮性の基材、５２…接着剤、１０…包装体
【図１】
2008005963.tif 000003
【図２】
2008005963.tif 000004
【図３】
2008005963.tif 000005
【図４】
2008005963.tif 000006
【図５】
2008005963.tif 000007
【図６】
2008005963.tif 000008
【図７】
2008005963.tif 000009
【図８】
2008005963.tif 000010
【図９】
2008005963.tif 000011
【図１０】
2008005963.tif 000012